(57)【要約】【課題】超音波溶着を行なった後でビス締めした際に上ケースのボスが下ケース側に引き寄せられる現象を防止することにより、上ケース外観面に変形が生じることがなく、良好なる外観を保つことが可能な充電器を提供することを目的とする。【解決手段】超音波溶着により接合される上ケース２０と下ケース２１からなる充電器であって、前記上ケース２０に設けられたビス締め用ボス２７の前記下ケース２１のビス締め部との接合面上に溶着リブ２８を設けたことを特徴とする充電器に関するものである。【選択図】図１
2011205720.tif 000002
【特許請求の範囲】
【請求項１】
充電回路基板を内蔵し、外表面の一部に充電する電池を装着する装着部を備えた上ケースと下ケースとからなり、前記上ケースと下ケースとの突合せ面を超音波溶着により接合した充電器であって、前記上ケースに設けられたビス締め用ボスの前記下ケースのビス締め部との接合面上に溶着されることによりビス締め用ボスとビス締め部との隙間を埋める溶着リブを設けたことを特徴とする充電器。
【発明の詳細な説明】
【技術分野】
【０００１】
本発明は超音波溶着により上下のケースを接合する充電器に関するものである。
【背景技術】
【０００２】
従来の充電器を図３、図４、および図５に示す。図３（ａ）は充電器の上面図、同（ｂ）は下面図であり、図４（ａ）は充電器の断面図および同（ｂ）は上ケースのボス部詳細断面図、図５は上下ケース組立後のビス締め部の詳細断面図である。
【０００３】
図３において、１は充電器の上ケース、２は充電器の下ケースであり、これらは合成樹脂で成型されている。図４において、１２はケース内部に設けられた充電回路基板、１３は上ケース１と下ケース２により回動可能に挟持れたＡＣプラグである。ＡＣコンセントからＡＣプラグ１３を経由して供給されたＡＣ電流は充電回路基板１２により構成された充電回路で適正な充電電流に変換され、充電端子１１を介して充電電池収納部１０に装着された充電電池に供給され、充電が行なわれる。
【０００４】
次にこの充電器の組み立てについて説明する。
【０００５】
まず上ケース１に充電端子１１および回路部品が実装された充電回路基板１２を装着する。
【０００６】
次にＡＣプラグ１３を装着した下ケース２を前記上ケース組立品に嵌合させる。
【０００７】
続いて上ケース１と下ケース２との接合を超音波溶着により行なった後に、さらに補強の目的でビス３でビス締めを行い、充電器の組み立てが完成する。
【０００８】
７はケースの溶着部であり、ケースの外周付近に設けられた溶着リブに超音波溶着器により圧力と高周波振動を与えることにより溶融させ、上ケース１と下ケース２の接合が行なわれている。
【０００９】
３は上ケース１と下ケース２を締結するビスであり、４ａは上ケース１に設けられたビス締め用のボスである。上ケース１と下ケース２内に充電回路基板１２及びＡＣプラグ１３を組み込み、上ケース１と下ケース２を超音波溶着した後に、ビス３を下ケースビス締め部を介してボス４ａにビス締めを行なうことにより上ケース１と下ケース２を締結している。このビス３を締結する目的は、充電器を使用する際にＡＣプラグ１３に過大なこじり力が加わった時に、上ケース１と下ケース２の溶着接合が剥がれないようにする目的で行なわれている。
【００１０】
図５において、８はボス４ａの先端と下ケース２の締結部との間に生じた隙間である。
【００１１】
また図３において、６はビス締めによって生じたケース変形部を示すものである（例えば、特許文献１参照）。
【先行技術文献】
【特許文献】
【００１２】
【特許文献１】特開昭５９−１８８３７２号公報
【発明の概要】
【発明が解決しようとする課題】
【００１３】
しかしながら前記従来の充電器では、上ケース１と下ケース２を組み合わせて超音波溶着接合した後に、ボス４ａの長さの寸法ばらつきや超音波溶着による溶着量ばらつきにより、ボス４ａ先端と下ケース２の締結部との間に隙間８が発生することがあった。この隙間８が発生した場合には、超音波溶着後に補強のために上ケース１と下ケース２をビス３により締結する際に、ビス３を締めることによりボス４ａが基準位置よりも下ケース側へ引き寄せられる。これによってボス４ａの根元に位置する上ケース１の外観面が変形してくぼみが生じ、外観不良になるという問題があった。
【００１４】
本発明における充電器は、超音波溶着を行なった後でビス締めした際に、ボスが下ケース側に引き寄せられる現象を防止することにより、上ケースの外観面に変形が生じることがなく、良好なる外観を保つことができる充電器を提供することを目的とする。
【課題を解決するための手段】
【００１５】
前記目的を達成するために本発明の充電器は、外表面の一部に充電する電池を装着する装着部を備えた上ケースと下ケースとからなり、前記上ケースと下ケースとの突合せ面を超音波溶着により接合し、前記上ケースに設けられたビス締め用ボスの前記下ケースのビス締め部との接合面上に、溶着されることによりビス締め用ボスとビス締め部との隙間を埋める溶着リブを設けた構造としたものである。
【発明の効果】
【００１６】
本発明によると、上ケースのビス締め用ボスの先端に溶着リブを設けることにより、上ケースと下ケースの超音波溶着組立時にビス締め用ボスの先端の溶着リブも同時に溶融され、下ケースのビス締め部との間に溶融された樹脂が充填され、ビス締め用ボスの先端と下ケースのビス締め部との間には隙間が無くなることになるので、超音波溶着を行なった後でビス締めした際に上ケースのビス締め用ボスが下ケース側に引き寄せられる現象を防止することができ、これにより上ケースの外観面に変形が生じることがなく、良好なる外観を保つことが可能となる。
【図面の簡単な説明】
【００１７】
【図１】（ａ）本発明の実施の形態に示す充電器の断面図、（ｂ）同上ケースのボス部の詳細断面図
【図２】本発明の実施の形態に示す充電器の組立後のビス締め部の詳細断面図
【図３】（ａ）従来の充電器の上面図、（ｂ）同下面図
【図４】（ａ）従来の充電器の断面図、（ｂ）同上ケースのボス部の詳細断面図
【図５】従来の充電器の上下ケース組立後のビス締め部詳細断面図
【発明を実施するための形態】
【００１８】
以下本発明を実施するための最良の形態について図面を参照しながら説明する。
【００１９】
（実施の形態１）
図１（ａ）は本発明の実施の形態における充電器の断面図、同（ｂ）は上ケースのビス締め用ボス部の詳細断面図、図２はその充電器におけるケース組立後のビス締め部の詳細断面図である。
【００２０】
図１において２０は充電器の上ケース、２１は充電器の下ケースであり、これらは合成樹脂で成型されている。２２はケース内部に設けられた充電回路基板、２３は上下ケース２０、２１により回動可能に挟持されたＡＣプラグである。ＡＣコンセントからＡＣプラグ２３を経由して供給されたＡＣ電流は充電回路基板２２により適正な充電電流に変換され、充電端子２４を介して充電電池収納部２５に装着された充電電池に供給され、充電が行なわれる。
【００２１】
２６は上下ケース２０、２１を締結するビスであり、２７は拡大図で示した超音波溶着前の上ケース２０に設けたビス締め用ボスであり、２８はビス締め用ボス２７の先端に設けられた溶着リブである。２９は上ケース２０と下ケース２１との嵌合面での溶着部である。
【００２２】
図２は本発明の実施の形態における充電器組立後のビス締め部詳細断面図である。
【００２３】
図２において３０はビス締め用ボス２７の先端と下ケース２１の締結部との間に生じた隙間に充填されるように溶融した溶着リブ２８の溶融部である。
【００２４】
同図を用いて、本実施の形態における充電器の特徴を詳細に説明する。
【００２５】
本発明の充電器の組立は以下のような流れで行なわれる。
【００２６】
まず上ケース２０に充電端子２４および回路部品が実装された充電回路基板２２を装着する。次にＡＣプラグ２３を装着した下ケース２１を前記上ケース組立品に嵌合させる。続いて上ケース２０と下ケース２１の接合を超音波溶着により行なう。２９は溶着部であり、ケースの外周付近に設けられた溶着リブに超音波溶着器により圧力と高周波振動を与えることにより溶融させ、上ケース２０と下ケース２１の接合が行なわれる。
【００２７】
最後に、ビス２６を下ケース２１のビス締め部を介して上ケース２０のビス締め用ボス２７にビス締めを行なうことにより上下ケース２０、２１の締結を行なう。このビス２６を締結する目的は、充電器を使用する際にＡＣプラグ２３に過大なこじり力が加わった時に上下ケース２０、２１の溶着接合が剥がれないようにする目的で行なわれている。
【００２８】
本実施の形態における充電器には図１に示すように、上ケース２０のビス締め用ボス２７の先端に溶着リブ２８が設けられている。この溶着リブ２８の高さ寸法は、上下ケース２０、２１を超音波溶着する際に、上下ケース２０、２１を接合する目的で設けられたケース外周の溶着リブと同時に溶融するような寸法関係に設定されている。
【００２９】
超音波溶着を行なうと、ビス締め用ボス２７の先端の溶着リブ２８の下ケース２１のビス締め部とのオーバーラップ部分が超音波溶着機からの圧力および超音波振動により溶融され、ビス締め用ボス２７の先端面と下ケース２１のビス締め部との隙間にこの溶融した樹脂が充填される。この状態でビス締め用ボス２７と下ケース２１との間に隙間が存在しない状態が実現できることになる。
【００３０】
したがって、超音波溶着を行なった後に上下ケース２０、２１をビス締めした際に、ビス締め用ボス２７が下ケース２１側に引き寄せられる現象を防止することができる。これにより、従来例のようなビス締め用ボス２７の引き寄せによる上ケース２０の外観面の変形部が生じることがなく、良好なる外観を保つことが可能となるものである。
【産業上の利用可能性】
【００３１】
本発明にかかる充電器は超音波溶着を行なった後でビス締めした際に、ビス締め用ボスが下ケース側に引き寄せられる現象を防止することができるので、上ケースの外観面に変形が生じることがなくなる。したがって良好なる外観を保つことが可能となるので、超音波溶着により上下ケースを接合する充電器のケース構造として有用である。
【符号の説明】
【００３２】
２０  上ケース
２１  下ケース
２２  充電回路基板
２３  ＡＣプラグ
２４  充電端子
２５  充電電池収納部
２６  ビス
２７  ビス締め用ボス
２８  溶着リブ
２９  溶着部
３０  溶融部
【図１】
2011205720.tif 000003
【図２】
2011205720.tif 000004
【図３】
2011205720.tif 000005
【図４】
2011205720.tif 000006
【図５】
2011205720.tif 000007